(57)【要約】【課題】操作量を増やさずに、スクロール量を多くする。【解決手段】携帯型画像表示端末（携帯端末）は、携帯型の本体と、本体に設けられ、画像の少なくとも一部の領域を画面に表示する表示部２２とを有する。また、携帯型画像表示端末（携帯端末）は、本体の周辺の任意の位置Ｐ１がポインタによって指定された際に、指定された指定位置Ｐ１を表す位置情報Ｄ１を取得する位置情報取得部３７と、位置情報Ｄ１に基づいて、画面に現在表示されている第１領域１７Ｏの次の表示領域となる第２領域１７Ｐを決定する表示領域決定部３８と、画面に表示する表示領域を第１領域１７Ｏから第２領域１７Ｐに移動する表示制御部３９とを備えている。【選択図】図３
2014191460.tif 000002
【特許請求の範囲】
【請求項１】
携帯型の本体と、前記本体に設けられ、画像の少なくとも一部の領域を画面に表示する表示部とを有する携帯型画像表示端末において、
前記本体の周辺の任意の位置がポインタによって指定された際に、指定された指定位置を表す位置情報を取得する位置情報取得部と、
前記位置情報に基づいて、前記画面に現在表示されている第１領域の次の表示領域となる第２領域を決定する表示領域決定部と、
前記画面に表示する表示領域を前記第１領域から前記第２領域に移動する表示制御部とを備えていることを特徴とする携帯型画像表示端末。
【請求項２】
前記表示領域決定部は、前記位置情報に基づいて、前記本体と前記指定位置の相対的な位置関係を算出し、算出した相対的な位置関係に基づいて前記第２領域を決定することを特徴とする請求項１記載の携帯型画像表示端末。
【請求項３】
前記相対的な位置関係には、前記本体に対する前記指定位置の方向が含まれていることを特徴とする請求項２記載の携帯型画像表示端末。
【請求項４】
前記相対的な位置関係には、前記本体から前記指定位置までの距離が含まれていることを特徴とする請求項３記載の携帯型画像表示端末。
【請求項５】
前記本体よりも平面サイズが大きな平面サイズを持ち、前記本体が載置される２次元の検出面を有し、前記検出面内において前記本体の周辺の任意の位置が前記ポインタによって指定された際に、前記指定位置を検出し、検出された指定位置の前記位置情報を検出する位置検出パッドと通信可能な通信部とを有しており、
前記位置情報取得部は、前記通信部を介して前記位置情報を取得することを特徴とする請求項１ないし４のいずれか１項記載の携帯型画像表示端末。
【請求項６】
前記位置検出パッドは、前記位置情報を前記検出面内の座標情報として出力し、
前記位置情報取得部は、前記通信部を介して前記座標情報を取得することを特徴とする請求項５項記載の携帯型画像表示端末。
【請求項７】
前記本体の外周面に設けられ、前記本体の周辺の前記ポインタの位置を探知する探知波を発信する発信部と、前記ポインタで反射された探知波の反射信号を受信する受信部とを有し、前記反射信号に基づいて前記位置情報を検出する位置検出センサを有しており、
前記位置情報取得部は、前記位置検出センサから前記位置情報を取得することを特徴とする請求項１ないし４のいずれか１項記載の携帯型画像表示端末。
【請求項８】
前記探知波は、超音波，又は赤外線、紫外線、可視光、電波のいずれかを含む光であることを特徴とする請求項７記載の携帯型画像表示端末。
【請求項９】
前記画像は医用画像であることを特徴とする請求項１ないし８のいずれか１項記載の携帯型画像表示端末。
【請求項１０】
携帯型の本体と、前記本体に設けられ、画像の少なくとも一部を表示領域として画面に表示する表示部とを有する携帯型画像表示端末の作動方法において、
前記本体の周辺の任意の位置がポインタによって指定された際に、指定された指定位置を表す位置情報を取得する位置情報取得ステップと、
前記位置情報に基づいて、前記画面に現在表示されている第１表示領域の次の表示領域となる第２表示領域を決定する表示領域決定ステップと、
前記第１表示領域から前記第２表示領域に前記画面の表示領域を移動する表示制御ステップとを備えていることを特徴とする携帯型画像表示端末の作動方法。
【発明の詳細な説明】
【技術分野】
【０００１】
本発明は、画像を表示する携帯型画像表示端末及びその作動方法に関する。
【背景技術】
【０００２】
携帯型の本体と、本体に設けられ、画像を表示することが可能な表示部とを備えた携帯型画像表示端末（以下、単に携帯端末という）が知られている（特許文献１参照）。こうした携帯型画像表示端末においては、本体にキーボードやマウスなどの操作入力部が設けられていないため、表示部としてタッチスクリーン式のディスプレイが使用され、表示部が操作入力部として使用される。
【０００３】
表示部を使用した操作方法としては、表示部にキーボードなどの操作画面を表示する操作方法に加えて、表示部の画面上に指を置き、画面上で指を動かすジェスチャを行う操作方法がある。特許文献１には、指のジェスチャの例として、画面上で指をドラッグさせるドラッグジェスチャに対応して、画面に表示される画像の表示領域が移動（スクロール）する例が記載されている。つまり、表示部に現在表示されている画像の一部の領域を第１領域とした場合、ドラッグジェスチャによりスクロールが行われると画面の表示領域が第１領域から第２領域に移動する。ドラッグジェスチャにおける指の移動量が小さければ、スクロール量も小さく、その反対に、指の移動量が大きければ、スクロール量も大きくなるというように、画面上における指の移動量と、スクロール量は相関があり、指の移動量の多寡に応じてスクロール量も変化する。
【先行技術文献】
【特許文献】
【０００４】
【特許文献１】特開２０００−１６３０３１号公報
【発明の概要】
【発明が解決しようとする課題】
【０００５】
特許文献１に記載されているドラッグジェスチャでは、指の移動量が画面サイズによって制約を受ける。携帯端末は表示部の画面サイズが小さいため、１回のドラッグジェスチャによるスクロール量を多くできない。１回のドラッグジェスチャによる指の移動量が小さいと、表示領域を大きく移動させたい場合、すなわち、すなわち、移動元の第１領域と移動先の第２領域の距離が大きい場合には、ジェスチャの回数を増やさなければならず、操作量が増えるため、操作性が悪いという問題があった。
【０００６】
本発明は、上記課題に鑑みてなされたもので、操作量を増やさずに、スクロール量を多くすることができる携帯型画像表示端末を提供することを目的とする。
【課題を解決するための手段】
【０００７】
上記目的を達成するために、本発明の携帯型画像表示端末は、携帯型の本体と、本体に設けられ、画像の少なくとも一部の領域を画面に表示する表示部とを有する携帯型画像表示端末において、本体の周辺の任意の位置がポインタによって指定された際に、指定された指定位置を表す位置情報を取得する位置情報取得部と、位置情報に基づいて、画面に現在表示されている第１領域の次の表示領域となる第２領域を決定する表示領域決定部と、画面に表示する表示領域を第１領域から第２領域に移動する表示制御部とを備えている。
【０００８】
表示領域決定部は、位置情報に基づいて、本体と指定位置の相対的な位置関係を算出し、算出した相対的な位置関係に基づいて第２領域を決定することが好ましい。また、相対的な位置関係には、本体に対する指定位置の方向が含まれていることが好ましい。また、相対的な位置関係には、本体から指定位置までの距離が含まれていることが好ましい。
【０００９】
本体よりも平面サイズが大きな平面サイズを持ち、本体が載置される２次元の検出面を有し、検出面内において本体の周辺の任意の位置がポインタによって指定された際に、指定位置を検出し、検出された指定位置の位置情報を検出する位置検出パッドと通信可能な通信部とを有しており、位置情報取得部は、通信部を介して位置情報を取得することが好ましい。また、位置検出パッドは、位置情報を検出面内の座標情報として出力し、位置情報取得部は、通信部を介して座標情報を取得することが好ましい。
【００１０】
本体の外周面に設けられ、本体の周辺のポインタの位置を探知する探知波を発信する発信部と、ポインタで反射された探知波の反射信号を受信する受信部とを有し、反射信号に基づいて位置情報を検出する位置検出センサを有しており、位置情報取得部は、位置検出センサから位置情報を取得することが好ましい。また、探知波は、超音波，又は赤外線、紫外線、可視光、電波のいずれかを含む光であることが好ましい。
【００１１】
画像は医用画像である場合に、本発明はより有効である。
【００１２】
本発明の携帯型画像表示端末の作動方法は、携帯型の本体と、本体に設けられ、画像の少なくとも一部を表示領域として画面に表示する表示部とを有する携帯型画像表示端末の作動方法において、本体の周辺の任意の位置がポインタによって指定された際に、指定された指定位置を表す位置情報を取得する位置情報取得ステップと、位置情報に基づいて、画面に現在表示されている第１表示領域の次の表示領域となる第２表示領域を決定する表示領域決定ステップと、第１表示領域から第２表示領域に画面の表示領域を移動する表示制御ステップとを備えている。
【発明の効果】
【００１３】
本発明によれば、操作量を増やさずに、スクロール量を多くすることができる。
【図面の簡単な説明】
【００１４】
【図１】第１実施形態の携帯型画像表示端末（携帯端末）の斜視図である。
【図２】第１実施形態の構成図である。
【図３】第１実施形態におけるＣＰＵの機能図である。
【図４】第１実施形態における表示領域の移動に関する説明図である。
【図５】第１実施形態におけるフローチャートである。
【図６】第１実施形態における直感的なイメージを示すイメージ図である。
【図７】第２実施形態の斜視図である。
【図８】第２実施形態における位置検出センサの説明図である。
【図９】第２実施形態におけるＣＰＵの機能図である。
【図１０】第２実施形態における表示領域の移動に関する説明図である。
【図１１】第２実施形態におけるフローチャートである。
【図１２】距離Ｄ１と画像上の距離Ｄ２との変換テーブルの一例を示した図である。
【図１３】距離Ｄ１と画像上の距離Ｄ２との変換テーブルの一例を示した図である。
【発明を実施するための形態】
【００１５】
「第１実施形態」
図１に示すように、本発明の第１実施形態の携帯型画像表示端末（以下、単に携帯端末という）１０は、携帯型の本体２１と、本体２１に設けられた表示部２２とを備えている。表示部２２は、例えばタッチパネル機能付きの液晶表示パネルからなり、本体２１の前面に設けられている。表示部２２の画面２２ａには画像を表示することが可能である。
【００１６】
携帯端末１０の表示部２２は、画面サイズが小さいため、画像サイズが大きな画像や、表示倍率を上げて画像を拡大表示する場合には、画像全体を表示することができないため、表示部２２には画像全体の中の一部が表示される。表示部２２に表示される表示領域を移動する移動操作（スクロール操作）は、表示部２２のタッチパネル機能を利用して行うことが可能である。具体的には、指１２を表示部２２の画面２２ａに置いた状態でドラッグジェスチャを行うことによりスクロールさせることが可能である。
【００１７】
加えて、携帯端末１０は、位置検出パッド１３を利用して、スクロール操作を行うことが可能となっている。本体２１には、位置検出パッド１３と通信するための通信窓２１ａが設けられている。
【００１８】
位置検出パッド１３は、薄いシート状をしており、上面には、指１２などのポインタで指定された指定位置を検出する２次元の検出面３３が設けられている。検出面３３は、携帯端末１０の平面サイズよりも大きな平面サイズを有している。検出面３３のほぼ中央部には、携帯端末１０の設置位置を示すマーカ３３ａが設けられている。位置検出パッド１３を使用する場合には、携帯端末１０は、マーカ３３ａの位置に合わせて検出面３３にセットされる。検出面３３の平面サイズは本体２１よりも大きいので、本体２１がマーカ３３ａの位置にセットされると、本体２１の周辺は検出面３３となる。位置検出パッド１３は、検出された指定位置を表す位置情報を、通信部である通信Ｉ／Ｆ（インターフェース）３２を介して携帯端末１０に出力する。
【００１９】
図２に示すように、携帯端末１０は、携帯電話やスマートフォンなどの携帯型情報端末をベースに、位置検出パッド１３と組み合わせて動作させるためのアプリケーションプログラム（ＡＰ）３０をインストールして構成される。携帯型の本体２１には、ＣＰＵ２５、メモリ２６、ストレージデバイス２７、通信Ｉ／Ｆ２８が設けられており、これらは表示部２２と共にデータバス２９を介して接続されている。
【００２０】
ストレージデバイス２７は、各種データを格納するデバイスであり、例えば、ハードディスクドライブで構成される。ストレージデバイス２７は、制御プログラムや、コンソール用ソフトウエアなどのアプリケーションプログラム（ＡＰ）３０が格納される。また、ストレージデバイス２７には、表示部２２に表示する画像が格納されている。
【００２１】
メモリ２６は、ＣＰＵ２５が処理を実行するためのワークメモリである。ＣＰＵ２５は、ストレージデバイス２７に格納された制御プログラムをメモリ２６へロードして、プログラムに従った処理を実行することにより、携帯端末１０の各部を統括的に制御する。ＣＰＵ２５は、タッチ操作によって表示部２２から入力される操作指示などに基づいて、各部の制御を実行する。メモリ２６は、ストレージデバイス２７に格納された画像を表示部２２に出力する際に画像データを展開する画像メモリとしても機能する。
【００２２】
通信Ｉ／Ｆ２８は、位置検出パッド１３に設けられた通信Ｉ／Ｆ３２と通信して、位置情報を受信する通信部である。通信Ｉ／Ｆ２８、通信Ｉ／Ｆ３２としては、例えば、赤外線を利用する赤外線通信規格、電波を使用するＷｉ−Ｆｉ（登録商標）規格、２．４ＧＨｚの電波を使用するブルートゥース（登録商標）規格など、数センチから数メートルの範囲で通信を行う近距離無線通信Ｉ／Ｆが使用される。
【００２３】
位置検出パッド１３は、通信Ｉ／Ｆ３２、検出部３４を有する。検出部３４は、例えば、支持体上に、複数列のＹ方向電極及び複数行のＸ方向電極からなる格子状の電極パターンを形成し、指１２が接触した部分における静電容量の変化を検出する静電容量方式のものが用いられる。検出部３４は、検出面３３を構成する絶縁シートで覆われている。位置検出パッド１３は、検出した位置情報を、検出面３３におけるＸ方向（横方向）及びＹ方向（縦方向）の座標情報として出力する。
【００２４】
図３及び図４に示すように、ＣＰＵ２５は、ＡＰ３０が起動されると、位置情報取得部３７、表示領域決定部３８、表示制御部３９として機能する。位置情報取得部３７は、通信Ｉ／Ｆ２８を通じて位置情報を取得する。表示領域決定部３８は、位置情報取得部３７が取得する位置情報に基づいて、表示部２２に表示される表示領域を決定する。
【００２５】
具体的には、図４に示すように、表示部２２に現在表示されている表示領域を、画像１５のほぼ中央の第１領域１７Ｏとした場合、表示領域決定部３８は、位置情報に基づいて次の表示領域となる第２領域１７Ｐを決定する。画像１５は、例えば、人の全身を写したものであり、第１領域１７Ｏは腹部、第２領域１７Ｐは頭部付近に位置している。
【００２６】
携帯端末１０は、検出面３３上のマーカ３３ａの位置にセットされることにより、検出面３３上のほぼ中央に位置する基準位置Ｏ１と、表示部２２の画面２２ａのほぼ中央に位置する基準位置Ｏ２が一致する。基準位置Ｏ２は、現在表示中の第１領域１７Ｏの中央位置に対応する。
【００２７】
表示領域決定部３８は、位置情報に基づいて、本体２１と指定位置Ｐ１との相対的な位置関係を求める。相対的な位置関係は、位置情報がＸ、Ｙの座標情報であるので、基準位置Ｏ１を原点とする指定位置Ｐ１までの距離と方向を含む位置ベクトルとして求められる。具体的には、表示領域決定部３８は、位置情報に基づいて、検出面３３上の基準位置Ｏ１から指定位置Ｐ１までの検出面３３上の距離Ｄ１を算出し、距離Ｄ１のＸ成分Ｄ１ｘと、Ｙ成分Ｄ１ｙをそれぞれ求める。
【００２８】
ＡＰ３０には、検出面３３上の距離Ｄ１と、画像１５上の距離Ｄ２との対応関係を規定した変換テーブル３０ａが含まれている。表示領域決定部３８は、変換テーブル３０ａを参照して、距離Ｄ１（Ｄ１ｘ、Ｄ１ｙ）を距離Ｄ２（Ｄ２ｘ、Ｄ２ｙ）に変換する。
【００２９】
表示領域決定部３８は、メモリ２６に展開された画像１５において、基準位置Ｏ２から距離Ｄ２（Ｄ２ｘ、Ｄ２ｙ）離れた移動先Ｐ２を中心とする第２領域１７Ｐを決定する。表示制御部３９は、画面２２ａに表示する表示領域を第１領域１７Ｏから第２領域１７Ｐに移動する。これにより、画像１５のスクロールが行われる。
【００３０】
表示領域決定部３８は、指定位置Ｐ１に基づいて第１領域１７Ｏから第２領域１７Ｐへの移動量（スクロール量）を決定するので、基準位置Ｏ１から指定位置Ｐ１までの距離Ｄ１が離れているほど、スクロール量は多くなる。
【００３１】
また、表示制御部３９は、表示部２２を通じた指１２によるドラッグジェスチャによる操作を受け付けて、画面２２ａ上の指１２の移動量に応じて画面２２ａの表示領域を移動する。さらに、画面２２ａ上に２本の指を置いて、２本指の間隔を拡縮するピンチ（ｐｉｎｃｈ）ジェスチャによる操作を受け付けて、画像１５の表示倍率の拡大や縮小の制御を行う。
【００３２】
以下、上記構成による作用について図５に示すフローチャートを参照しながら説明する。携帯端末１０において、表示部２２のタッチ操作により、ストレージデバイス２７内に格納された画像１５が選択され、表示開始指示を受け付けると、携帯端末１０は表示部２に画像１５を表示する（ステップ（Ｓ）２０１）。表示部２２の画面２２ａを通じて指１２によるドラッグジェスチャやピンチジェスチャが行われると、表示制御部３９は、画像１５のスクロールや表示倍率の拡縮を行う。
【００３３】
位置検出パッド１３を利用する場合には、携帯端末１０がマーカ３３ａの位置にセットされる。そして、指１２によって、本体２１の周辺の検出面３３上の任意の位置が指定されると（Ｓ１０１でＹＥＳ）、位置検出パッド１３は指定位置Ｐ１を検出し、指定位置Ｐ１を表す位置情報を携帯端末１０に送信する（Ｓ１０２）。
【００３４】
位置情報取得部３７は、通信Ｉ／Ｆ２８を通じて位置検出パッド１３からの位置情報を取得する（Ｓ２０２でＹＥＳ）。位置情報取得部３７は、表示領域決定部３８に位置情報を入力する。表示領域決定部３８は、位置情報に基づいて、基準位置Ｏ１を原点とする指定位置Ｐ１までの距離と方向とを含む情報である、位置ベクトル（距離Ｄ１）を算出する。そして、変換テーブル３０ａを参照して、画像１５上の距離Ｄ２に変換して、現在表示されている第１領域１７Ｏの次の表示領域となる第２領域１７Ｐを決定する（Ｓ２０３）。表示制御部３９は、スクロールを行って第１領域１７Ｏから第２領域１７Ｐに表示領域を移動する（Ｓ２０４）。こうした処理は、画像１５の表示が終了するまで繰り返される（Ｓ１０３、２０５）。
【００３５】
本発明によれば、表示部２２に表示される画像１５のスクロールにおいて、本体２１の周辺の検出面３３上の任意の位置を指定することにより、画像１５のスクロール操作を行うことができる。スクロール操作は、検出面３３上の任意の位置を指定することによって行うことができるので、画面２２ａ上で指１２によるドラッグジェスチャを行うよりも操作が簡単である。
【００３６】
しかも、基準位置Ｏ１から指定位置Ｐ１までの距離Ｄ１に応じて表示領域のスクロール量（移動量）が決まるため、スクロール量を多く取りたい場合には、距離Ｄ１が大きくなるように、本体２１から離れた指定位置Ｐ１を指定するだけで済む。こうした操作は、従来の小さな画面２２ａ上でドラッグジェスチャを複数回繰り返す操作と比較して、操作量が少なくて済む。
【００３７】
患者の診療に用いられる医用画像の観察においては、表示領域の移動を頻繁に繰り返す操作が行われる場合も多い。そのため、画像１５が医用画像である場合には、スクロール時の操作量を軽減する効果がある本発明は特に有効である。
【００３８】
なお、本例では、画像１５の表示倍率に関わらず、検出面３３上の距離Ｄ１と画像１５上の距離Ｄ２との関係が一定の例で説明したが、表示倍率に応じて距離Ｄ１に対する距離Ｄ２を変化させてもよい。画像１５の表示倍率を大きくすると、画像１５全体の大きさが拡大することになるため、例えば、画像１５内の一端の領域から他端の領域にスクロールさせる場合など、表示領域を大きく移動させる場合には、スクロール量が大きくなる。そのため、表示倍率が大きい場合には、変換テーブル３０ａを変更することにより、距離Ｄ１の変化に対する距離Ｄ２の変化量を大きくしてもよい。そうすれば、距離Ｄ１が同じ場合でも、表示倍率が大きい場合には、距離Ｄ２が大きくなるため、スクロール量も増加する。
【００３９】
また、図６に示すように、本発明によれば、携帯端末１０を操作するユーザの操作感覚としては、本体２１の周囲に広がる検出面３３と、表示部２２の画面２２ａの周囲に広がる画像１５の非表示領域とが感覚的に重なるため、ユーザは非表示領域の位置や方向を想像しながら、表示を希望する領域を指定することができる。言い換えると、ユーザの感覚的には、本体２１の周囲に広がる検出面３３が、あたかも、画面２２ａの周囲に延長された仮想画面のようになり、ユーザにとっては仮想画面上で表示を希望する領域を指定している感覚となる。これは、きわめて直感的であるため、従来に無い良好な操作感が得られる。
【００４０】
本例においては、位置検出パッド１３として、静電容量方式のものを用いたが、抵抗膜方式など他の方式のものでもよい。
【００４１】
また、通信Ｉ／Ｆ２８、通信Ｉ／Ｆ３２として、近距離無線通信Ｉ／Ｆを用いた例で説明したが、無線ＬＡＮ（ローカルエリアネットワーク）の国際標準規格であるＩＥＥＥ８０２．１１規格の無線通信Ｉ／Ｆでもよい。また、無線に限らず、携帯端末１０と位置検出パッド１３とを、通信ケーブルを介して有線接続してもよい。有線接続する場合には、例えば、ＵＳＢ（ユニバーサルシリアルバス）規格のＩ／Ｆが用いられる。ＵＳＢ規格であれば、通信ケーブルを介して接続先に給電を行うことができる。そのため、例えば、携帯端末１０から位置検出パッド１３に対して給電を行ってもよい。こうすれば、位置検出パッド１３に駆動用のバッテリを設けたり、商用電源と接続したりする必要が無くなるので、便利である。
【００４２】
「第２実施形態」
図７、８に示すように、第２実施形態の携帯端末６０は、位置検出パッド１３の代わりに、本体２１に設けた位置検出センサ６３で指１２の指定位置Ｐ１を検出する。第２実施形態について、第１実施形態との相違点を中心に説明し、第１実施形態と同じ構造及び機能については同じ符号を付し、詳細な説明は省略する。
【００４３】
位置検出センサ６３は複数個設けられており、携帯端末６０の本体２１の外周面において、本体２１の側面２１ａの全周に渡って配置されている。各位置検出センサ６３は、超音波センサであり、指１２を探知する探知波６１として超音波を発信する発信部６３ａと、指１２で反射した超音波の反射波６２を受信する受信部６３ｂとを有している。位置検出センサ６３は、発信部６３ａが探知波６１を発信後、受信部６３ｂで反射波６２を受信するまでの時間を計測する。そして、計測した時間と音速に基づいて指１２までの距離を算出する。位置情報取得部３７は、各位置検出センサ６３が出力する距離を位置情報として取得する。各位置検出センサ６３の配置位置によって、指１２までの距離はそれぞれ異なる。また、各位置検出センサ６３の中には、指１２の位置によって、指１２を探知できないセンサもある。位置情報取得部３７は、指１２を探知した複数の位置検出センサ６３の配置位置と、それぞれが出力する距離に基づいて、本体２１と指定位置Ｐ１との相対的な位置関係を算出する。
【００４４】
具体的には、図９及び図１０に示すように、位置情報取得部３７は、本体２１の中央の基準位置Ｏ１と、指１２で指定された指定位置Ｐ１の距離Ｄ１と方向θを算出する。方向θは、例えば、基準位置Ｏ１から水平方向に延びた基準線と、基準位置Ｏ１と指定位置Ｐ１を結ぶ線分の成す角度である。位置情報取得部３７は、距離Ｄ１と方向θとを表示領域決定部３８に入力する。
【００４５】
表示領域決定部３８は、変換テーブル３０ａを参照して、取得した距離Ｄ１を、画像１５上の距離Ｄ２に変換する。そして、距離Ｄ２と方向θとを基に、移動先Ｐ２を中心とする第２領域１７Ｐを決定する。表示制御部３９は、現在表示中の第１領域１７Ｏを第２領域１７Ｐに移動する。
【００４６】
以下、図１１に示すフローチャートを参照しながら、第２実施形態の携帯端末６０の作用について説明する。携帯端末６０において、発信部６３ａは、探知波６１として超音波を発信して、指１２の探知を開始する（Ｓ３０１）。発信された超音波は、指１２によって反射される。受信部６３ｂは、指によって反射された超音波を反射波６２として受信する（Ｓ３０２でＹＥＳ）。反射された超音波を受信した各受信部６３ｂを備える各位置検出センサ６３は、発信部６３ａが探知波６１を発信後、受信部６３ｂで反射波６２を受信するまでの時間を計測する。各位置検出センサ６３は、計測した時間に基づいて、各位置検出センサ６３と指１２との距離を測定する（Ｓ３０３）。位置情報取得部３７は、各位置検出センサ６３の配置位置と、それぞれが出力する距離とに基づいて、本体２１と指定位置Ｐ１との相対的な位置関係を、位置情報として算出する。位置情報は、本体２１の中央の基準位置Ｏ１と、指１２で指定された指定位置Ｐ１の距離Ｄ１と方向θとを含んでいる。位置情報取得部３７は、位置情報を表示領域決定部３８に入力する（Ｓ３０４）。
【００４７】
表示領域決定部３８は、変換テーブル３０ａを参照して、取得した距離Ｄ１を、画像１５上の距離Ｄ２に変換して、距離Ｄ２と方向θとに基づいて、現在表示されている第１領域１７Ｏの次の表示領域となる第２領域１７Ｐを決定する（Ｓ３０５）。表示制御部３９は、スクロールを行って第１領域１７Ｏから第２領域１７Ｐに表示領域を移動する（Ｓ３０６）。こうした処理は、画像１５の表示が終了するまで繰り返される（Ｓ３０７）。
【００４８】
第２実施形態の携帯端末６０によれば、第１実施形態の携帯端末１０と同様の効果が得られる。携帯端末６０は、第１実施形態の携帯端末１０と比べて、位置検出パッド１３を使用しない分、持ち運びも容易になり、手軽に利用することができる。
【００４９】
なお、第２実施形態において、位置検出センサ６３として、探知波及び反射波に超音波を使用するセンサを用いた例で説明したが、探知波及び反射波として、赤外線、紫外線、可視光、電波のいずれかを含む光を使用するセンサを用いてもよい。光を使用する場合には、例えば、複数の位置検出センサがそれぞれ受信する反射波の強度差に基づいて距離及び方向が算出される。
【００５０】
上記各実施形態では、変換テーブル３０ａとして、距離Ｄ１の変化に対して距離Ｄ２が連続的に変化するテーブルを用いた例で説明したが、図１２に示すように、距離Ｄ１の変化に対して距離Ｄ２が段階的に変化するテーブルを用いてもよい。この場合、指定位置Ｐ１までの距離Ｄ１が一定の範囲にある場合には、スクロール量は一定であり、一定の範囲を超えると、スクロール量が１段階変化する。
【００５１】
上記各実施形態では、携帯端末の本体と指定位置までの距離に応じてスクロール量を変化させているが、スクロール量を変化させなくてもよい。この場合には、図１３に示すように、指定位置Ｐ１までの距離Ｄ１に対して距離Ｄ２が一定の変換テーブルが用いられる。この場合、携帯端末は、指定位置の方向のみ取得し、方向に応じて所定のスクロール量で表示領域を移動する。
【００５２】
このようにしても、画面２２ａを通じたドラッグジェスチャと比較して、指定位置Ｐ１を指定する操作は簡単であるため、操作量を軽減することができる。また、画面２２ａのドラッグジェスチャを用いたスクロール量に対して、位置検出パッドや位置検出センサを用いた場合のスクロール量を相対的に大きく設定しておけば、スクロール量が大きい分、ドラッグジェスチャを用いたスクロール操作と比べて、操作量を軽減することができる。
【００５３】
上記各実施形態では、ストレージデバイス２７に格納した画像１５を表示する例で説明したが、インターネットなどの通信ネットワークを介してサーバにアクセスしてサーバからダウンロードした画像を表示してもよい。この場合には、携帯端末に、通信ネットワークに接続可能な通信部が設けられる。
【００５４】
表示する画像１５としては、上述した医用画像の他、地図でもよい。地図は、画像サイズが大きく、表示領域の移動が頻繁に繰り返される場合が多いと考えられるため、医用画像と同様に本発明の有用性は高い。もちろん、画像１５は、医用画像や地図以外でもよい。例えば、インターネット上のウェブサイトからダウンロードした文字を含むページ画像でもよい。医用画像や地図以外であっても、操作量を軽減する本発明の効果は期待できる。
【００５５】
上記各実施形態では、ポインタが指１２である例で説明したが、指１２以外でもよく、例えば、ポイントペンなどでももちろんよい。
【符号の説明】
【００５６】
１０，６０  表示装置
１５  画像
１７Ｏ  第１領域
１７Ｐ  第２領域
２１  （携帯型の）本体
２２  表示部
３０ａ  変換テーブル
３７  位置情報取得部
３８  表示領域決定部
３９  表示制御部
【図１】
2014191460.tif 000003
【図２】
2014191460.tif 000004
【図３】
2014191460.tif 000005
【図４】
2014191460.tif 000006
【図５】
2014191460.tif 000007
【図６】
2014191460.tif 000008
【図７】
2014191460.tif 000009
【図８】
2014191460.tif 000010
【図９】
2014191460.tif 000011
【図１０】
2014191460.tif 000012
【図１１】
2014191460.tif 000013
【図１２】
2014191460.tif 000014
【図１３】
2014191460.tif 000015